(57)【要約】      （修正有）【課題】多岐に渡る機能を設定する場合でも、誤った設定を行ってしまう可能性を減少し、誤操作防止に役立つ撮像装置を提供する。【解決手段】実際に使用するマニュアルモード、露出補正、ホワイトバランス補正、イメージゾーン、ＡＦマニュアル、測距点選択、カスタムファンクション等の機能のうちのいずれかを選択し、選択された機能に対するユーザーの習熟度を判定し、習熟度に応じてその機能を有効にするか無効にするかを設定する。あるいは、設定を行うことが出来る範囲を広げる、または狭める。【選択図】図３
2011114800.tif 000002
【特許請求の範囲】
【請求項１】
特定機能を選択する選択手段
選択された機能の習熟度を判定する判定手段
判定手段の結果に従って、特定機能の使用有無を設定する
ことを特徴とする撮像装置。
【請求項２】
特定機能を選択する選択手段
選択された機能の習熟度を判定する判定手段
判定手段の結果に従って、特定機能の設定範囲を変化させる
ことを特徴とする撮像装置。
【請求項３】
判定手段は、設問に対しての合否判定を行うことで判定することを特徴とする請求項１または請求項２の撮像装置。
【請求項４】
特定機能は、マニュアルモード、露出補正、ＷＢ、ＷＢ補正、イメージゾーン、ＡＦマニュアル、測距点選択、カスタムファンクションのいずれか、またはその組み合わせであることを特徴とする請求項１または請求項２の撮像装置。
【請求項５】
特定機能は、カメラに新たに付加された機能も含むことを特徴とする請求項１または請求項２の撮像装置。
【発明の詳細な説明】
【技術分野】
【０００１】
本発明は、被写体を撮像する撮像装置であって、特に、様々な機能を有する多機能な撮像装置に関する。
【背景技術】
【０００２】
昨今のデジタルカメラは、機能が多機能となり、通常は使用しない機能に関しては、設定値がデフォルト値のままであったりしてせっかくの機能を有効に生かしきれていない場合が多い。しかし、設定を行っても、内容を充分理解しないまま、誤った設定を行ってしまった場合には、生成される画像に対して、影響を及ぼす可能性があった。
【０００３】
このような問題点を鑑みて、
従来、予め撮影された画像に対してユーザが撮影操作を行うと、
カメラが安定しているか／ズームが適切か／望遠か／カメラを移動したか／ピント合わせしたか／レリーズＳＷを押して撮影したか／ストロボを使用したか／タイミングが適切か／構図が適切か／ストロボなどに効果が適切か、などの判定がなされる撮像装置が提案されていた。（特許文献１参照）
また、評価対象とする画像がどのような撮影シーンであるかをユーザに指定させると、
撮像された画像をシーンによって予め定められた項目に関して評価し、得点化し、適切でないと評価された項目については改善方法をアドバイスするデジタルカメラが提案されていた。（特許文献２参照）
また、習熟度を、経験年数、年齢、レリーズ回数等で判断し、ユーザの技術習熟に応じたＡＥプログラム線図を選択する撮像装置が提案されていた。（特許文献３参照）
【先行技術文献】
【特許文献】
【０００４】
【特許文献１】特開２００７−２８２２６６号公報
【特許文献２】特開２００９−３８６５７号公報
【特許文献３】特開２００５−１９８０７１号公報
【発明の概要】
【発明が解決しようとする課題】
【０００５】
背景技術でも述べたように、現在の撮像装置は、設定項目が多岐に渡り、内容を十分理解せずに、わからないまま、誤った設定を行ってしまう可能性があった。
【０００６】
そのため、特許文献１および２の従来例においては、カメラが、撮影結果の良否判定を行うものである。しかし、判定結果を以後の撮影にフィードバックするところまでは、開示されていない。
【０００７】
また、特許文献３の従来例においては、習熟度を判定するものであるが、実際に使用しようとする機能に対する習熟度を判断しているとは必ずしも言えない。
【０００８】
本発明は、上記問題点を鑑みてなされたものであり、実際に使用しようとする機能に対する操作方法の習熟度を的確に判定し、その習熟度に応じて、機能の有効無効を設定したり、設定を行うことが出来る範囲を可変にすることにより、誤った使用を行ってしまう可能性が減少し、誤操作防止に役立つ撮像装置を提供することを目的とする。
【課題を解決するための手段】
【０００９】
上記目的を達成するために、請求項１記載の撮像装置は、
特定機能を選択する選択手段、選択された機能の習熟度を判定する判定手段を有し、
判定手段の結果に従って、特定機能の使用有無を設定することを特徴とする。
【００１０】
また、請求項２の撮像装置は、
特定機能を選択する選択手段、選択された機能の習熟度を判定する判定手段を有し、
判定手段の結果に従って、特定機能の設定範囲を変化させることを特徴とする。
【００１１】
また、請求項３の撮像装置は、
設問に対しての合否判定を行う判定手段であることで判定することを特徴とする。
【００１２】
また、請求項４の撮像装置は、
マニュアルモード、露出補正、ＷＢ、ＷＢ補正、イメージゾーン、ＡＦマニュアル、測距点選択、カスタムファンクションのいずれか、またはその組み合わせである特定機能を有することを特徴とする。
【００１３】
また、請求項５の撮像装置は、
カメラに新たに付加された機能も含む特定機能を有することを特徴とする。
【発明の効果】
【００１４】
本発明により、使用者が、通常は使用しない機能については、理解を深めた上で、使用してもらうようにしたので、誤った使用をしてしまう可能性が減少し、誤操作防止の効果がある。
【００１５】
また、新機能を紹介する上で、役立ったり、液晶背面表示部の有効活用上、また、各使用者に応じての機能の最適化の上で効果がある。
【図面の簡単な説明】
【００１６】
【図１】本発明の実施の形態に係る画像処理装置の全体構成の一例を示すブロック図である。
【図２】本発明の実施例の形態に係る撮像装置のフローチャートである。
【図３】本発明の実施例の形態に係る撮像装置のフローチャートの一部である。
【図４】本発明の実施例の形態に係る撮像装置の他の実施例のフローチャートである。
【発明を実施するための形態】
【００１７】
以下、本発明の実施の形態を、図面を用いて詳述する。
【００１８】
（実施例）
図１は、本発明の実施の形態に係る撮像装置の全体構成の一例を示すブロック図である。
【００１９】
図１において、撮像装置１００は、被写体を結像するレンズ１０１と、レンズの焦点位置を制御するレンズ制御部１０２と、入射光量を調節する絞り１０３とを備える。さらに、撮像装置１００は、ＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）から成る撮像素子１０４を備える。
【００２０】
撮像素子１０４は、ＲＧＢ各カラーフィルタが受光面上に設けられ撮像用の像信号の取得に用いられる画素から成る撮像画素群１０５を備える。さらに、撮像素子１０４は、焦点検出に用いる互いに光学構成が光軸対称に構成された１対の位相差センサであり、複数組の位相差センサから成り複数の焦点検出領域に存在する焦点検出画素群１０６を備える。さらに、撮像素子１０４は、焦点検出画素群１０６の１対をなす各位相差センサに対して瞳が対称に分割したように光線が入射するよう入射光線を制限する瞳分割光学系１０７から成る。
【００２１】
さらに、撮像装置１００は、焦点検出画素群１０６における互いに光学構成が光軸対称に構成された２種類の位相差センサの各画素列の像ずれ量から焦点を検出する焦点検出部１０８を備える。さらに、撮像装置１００は、撮像画素群１０５のうち焦点検出画素群１０６の近傍に位置する複数の画素（以下、近傍画素群と称す。）から成る像信号の高周波成分の強度を検出する空間周波数検出部１０９を備える。さらに、撮像装置１００は、焦点検出画素群１０６を用いて焦点検出結果に基づいて後述の画素補間部１１２で補間処理を行うか、空間周波数検出部４０１を用いて高周波成分の強度に基づいて画素補間部１１２で補間処理を行うか、いずれかを選択する判定切替部１１０を備える。
【００２２】
さらに、焦点検出画素群１０６は、遮光層５０３、６０３により視野が制限されている。また、焦点検出画素群１０６は、光線入射面にカラーフィルタを設けない。したがって、焦点検出画素群１０６の像信号のレベルは撮像画素群１０５のうち焦点検出画素群１０６の近傍に位置する複数の画素（以下、近傍画素群と称す。）から成る像信号のレベルと異なってしまう。このため、撮像装置１００は、焦点検出画素群１０６の像信号を近傍画素群の像信号のレベルに近づけるために、焦点検出画素群１０６のゲインを調整するゲイン調整部１１１を備える。
【００２３】
さらに、撮像装置１００は、判定切替部１１０の判定に基づいて、焦点検出画素群１０の位相差センサの位置に相当する画像データを、撮像素子１０４から得られた撮像画素群１０５の像信号に基づいて補間演算で生成する画素補間部１１２を備える。さらに撮像装置１００は、撮像画素群１０５から出力される像信号にガンマ補正、ホワイトバランス調整、リサンプリング、所定の画像圧縮符号化を行う画像処理部１１３を備える。さらに、撮像装置１００は、画像処理部１１３から出力された画像データを表示する表示部１１４と、記録する記録部１１５を備える。さらに、撮像装置１００は、操作者の操作入力を受け付ける操作部１１６と、撮像装置１００全体制御するカメラ制御部１１７とを備える。
【００２４】
図２は、本発明の実施の形態に係る撮像装置のフローチャートの一例で、以下は、露出補正の機能の例について示すものであるが、他の機能に関しても、また、新たな機能が追加された場合も、同様である。
【００２５】
Ｓ１０１では、機能の選択を行い、Ｓ１０２では、後述の習熟度テストを行う。Ｓ１０３では、習熟度テストの結果に基づいて、合否判定を行い、合格（所定点数以上）の場合には、Ｓ１０４で、機能を有効化し、不合格（所定点数未満）の場合には、Ｓ１０５で、機能を無効化する。
【００２６】
図３は、本発明の実施の形態に係る撮像装置のフローチャートにおいて、特に習熟度テストの部分についてのフローチャートで、機能として、図２と同様に、露出補正の機能を選択した場合の例である。
【００２７】
Ｓ２０１では、評価点の初期化、表示画像選択位置の初期化等を行う。
【００２８】
Ｓ２０２では、画像の設定を行い、Ｓ２０３とＳ２０４で、故意に明るめの画像と、故意に暗めの画像とを、ランダムに表示する。使用者は、Ｓ２０５にて、露出補正の方向および段数を入力する。Ｓ２０６では、表示画像に対して、露出補正方向が合致しているかの判定を行う。合致していなければ、Ｓ２０７に進み、評価点は、加算されない。合致していれば、Ｓ２０８に進み、露出補正段数が合致しているかの判定を行う。合致していなければ、Ｓ２０９に進み、露出補正方向は合っていたとして、評価点を＋１する。合致していたら、Ｓ２１０に進み、露出補正方向も段数も合致していたとして、評価点を＋２する。
【００２９】
Ｓ２１１では、評価点を積算し、このような動作を複数回繰り返し行い、Ｓ２１２にて、所定回数終了すれば、Ｓ２１３にて、評価点を決定する。
【００３０】
図４は、本発明の実施の形態に係る撮像装置の他の実施例のフローチャートである。
【００３１】
図２との相違点は、Ｓ１０４で、機能を有効化し、Ｓ１０５で、機能を無効化していたのに対して、図４では、Ｓ３０４では、合格（所定点数以上）に対する動作として、全範囲での設定を有効とし、Ｓ３０５では、不合格（所定点数未満）に対する動作として、設定範囲の制限を行う。
【符号の説明】
【００３２】
１００  撮像装置
１０５  撮像画素群
１０６  焦点検出画素群
１０７  瞳分割光学系
１０９  判定切替部
１１１  ゲイン調整部
１１２  画素補間部
【図１】
2011114800.tif 000003
【図２】
2011114800.tif 000004
【図３】
2011114800.tif 000005
【図４】
2011114800.tif 000006